(57)【要約】　　　（修正有）【課題】ＭＰＥＧ−２１のＤＩの安全な配信または送信のために利用する相互運用可能かつ安全なアーキテクチャを設計する。【解決手段】デ・マルチプレクサ２．９により受信したデジタル・アイテムを非多重化し、非多重化されたデジタル・アイテムから、デジタル・アイテム・デクラレイション（ＤＩＤ）を含むデジタル・コンテナ２．１を引き出し、ＤＩＤをＤＩＤパーサにより解析してＤＩＤの個々の要素の真の意味を解釈し、かつ要素がデジタル・アイテムの保護および管理に関連していれは゛、ＩＰＭＰツール２．１７を起動するために、知的所有権管理および保護（ＩＰＭＰ）パーサ２．１９に要素を送る。【選択図】　図２
2004129197.tif 000002
【特許請求の範囲】
【請求項１】
ＭＰＥＧ−２１システムの装置で使用するデジタル・アイテム処理方法であって、
ネットワークを介して前記装置に対して供給されるデジタル・アイテムを要求し、
要求したデジタル・アイテムを受信し、
デ・マルチプレクサにより前記受信したデジタル・アイテムを非多重化し、
前記非多重化されたデジタル・アイテムから、一つ以上の要素を含むデジタル・アイテム・デクラレイション（ＤＩＤ）を含むデジタル・アイテム・コンテナを引き出し、
前記ＤＩＤをＤＩＤパーサにより解析してＤＩＤの個々の要素の真の意味を解釈し、
前記解釈された要素がデジタル・アイテムの保護および管理に関連していれば、知的所有権管理および保護（ＩＰＭＰ）パーサに前記要素を送ってＩＰＭＰツールを起動する、
デジタル・アイテム処理方法。
【請求項２】
前記解釈された要素が前記デジタル・アイテムについての権利および使用ルールを含む権利情報に関連していれば、前記要素を権利表現言語／権利辞書デクラレイション（ＲＥＬ／ＲＤＤ）パーサに送る、請求項１に係る方法。
【請求項３】
前記解釈された要素がコンテンツの表現および消費に関連していれは゛、前記要素をコンテンツ表現ツールに送り、
前記コンテンツ表現ツールを起動する、請求項２に係る方法。
【請求項４】
前記解釈された要素がＩＰＭＰおよびＲＥＬ／ＲＤＤ以外の機能に関連すれば、前記要素を将来定義されるツールに送る、請求項３に係る方法。
【請求項５】
ＩＰＭＰツール・マネージャにより前記ＤＩＤに含まれるＩＰＭＰツール・リストを処理し、
欠落しているＩＰＭＰツールを取り出し、
前記ＩＰＭＰツール中に要求されているすべてのＩＰＭＰツールを収集し、
前記ＩＰＭＰツールをその機能に応じてインストールし、
前記ＩＰＭＰパーサで受信および処理されたＩＰＭＰメッセージに応じて、前記ＩＰＭＰツールを構成および初期化し、
前記ＩＰＭＰツールを起動する、請求項３に係る方法。
【請求項６】
各ＩＰＭＰツールにツール識別子（ＩＤ）が割り当てられ、デジタル・アイテムの保護にどのＩＰＭＰツールが使用されているかを示すために、ＩＰＭＰツール・リストが生成され、
前記ＩＰＭＰツール・リストは、前記ＤＩＤコンテナに含まれるＩＰＭＰ制御情報記述子中に格納され、
前記ＤＩＤがＤＩＤパーサにより解析されると、前記ＩＰＭＰ制御情報記述子からＩＰＭＰ制御情報を取り出し、
前記ＩＰＭＰ制御情報を前記ＩＰＭＰパーサに送り、
ＩＰＭＰツール・マネージャにＩＰＭＰツール・リストを送り、
前記ＩＰＭＰツール・マネージャにより前記ＩＰＭＰツール・リストを処理し、かつ
欠落しているＩＰＭＰツールがあれば、ＩＰＭＰツールを取り出す、請求項１に係る方法。
【請求項７】
前記ＤＩＤコンテナ内にＩＰＭＰ制御情報記述子が含まれ、前記ＤＩＤが前記ＤＩＤパーサにより解析されると、前記ＤＩＤコンテナからＩＰＭＰツール・リスト、ＩＰＭＰツールホルダ、および権利ホルダを含む、ＩＰＭＰ制御情報記述子を取り出し、
前記ＩＰＭＰ制御情報記述子を前記ＩＰＭＰパーサに送り、
前記ＩＰＭＰパーサにより前記ＩＰＭＰ制御情報記述子からＩＰＭＰツール・リストを取り出し、
前記ＩＰＭＰツールホルダに格納されていれば、前記ＩＰＭＰツールを取り出し、かつ
前記権利ホルダに格納されていれば、権利情報を取り出す、請求項１に係る方法。
【請求項８】
前記ＤＩＤコンテナは、権利ツールＩＤと権利表現を有した権利ホルダを含むＩＰＭＰ制御情報記述子を備え、
権利および使用ルールを含む権利情報は権利ホルダ中に格納され、
前記権利情報中の一定のＩＤを使用して、異なる権利および使用ルールが対応するデジタル・アイテムに関連付けられ、
ＩＰＭＰパーサによりＩＰＭＰ制御情報記述子を解析して、権利ホルダを取り出し、
前記権利ホルダを前記ＲＥＬ／ＲＤＤパーサへ送り、
ＲＥＬ／ＲＤＤパーサにより権利ホルダを解析して、権利および使用ルールを解釈し、かつ
前記デジタル・アイテムに関連付けられた権利および使用ルールを認証する、請求項２に係る方法。
【請求項９】
前記ＤＩＤコンテナは、ＩＰＭＰ制御情報記述子と、権利ツールＩＤと権利表現を有した権利ホルダとを含み、前記ＤＩＤコンテナおよび権利ホルダは前記ＤＩＤコンテナ中に並列的に格納され、
権利および使用ルールを含むすべての権利情報が権利ホルダ中に格納され、かつ
前記権利情報中の一定のＩＤを使用して、異なる権利および使用ルールは対応するデジタル・アイテムに関連付けられ、
前記ＤＩＤパーサにより解析されたＤＩＤ中の権利ホルダを取り出し、
前記ＲＥＬ／ＲＤＤパーサにより前記権利ホルダを解析して権利および使用ルールを解釈し、かつ
前記デジタル・アイテムと関連付けられた権利および使用ルールを認証する、請求項２に係る方法。
【請求項１０】
権利および使用ルールを含む権利情報は、帯域外で送られ、
ＲＥＬ／ＲＤＤ情報のヘッダは、権利情報を識別するように規定され、
権利情報中の一定のＩＤを使用して、異なる権利および使用ルールが対応するデジタル・アイテムに関連付けられ、
他の情報と共に前記ヘッダを受信し、
前記ヘッダを剥ぎ取って前記ＲＥＬ／ＲＤＤ情報を取り出し、
前記デジタル・アイテムに関連する権利および使用ルールを認証する、請求項２に係る方法。
【請求項１１】
前記権利および使用ルールを含む前記権利情報は、前記ＩＰＭＰ制御情報記述子に含まれ、
前記ＩＰＭＰ制御情報は、ＭＰＥＧ−４の初期オブジェクト記述子（ＩＯＤ）に格納され、かつ
前記装置はＭＰＥＧ−４規格に準拠し、
前記ＩＯＤを他の情報と共に受信し、
前記ＩＯＤを取り出して前記ＩＰＭＰ制御情報記述子を得て、かつ
前記ＲＥＬ／ＲＤＤパーサにより、前記権利情報を解析および解釈する、請求項８に係る方法。
【請求項１２】
ＩＰＭＰ制御情報記述子と、権利および使用ルールを含む権利情報は、ＭＰＥＧ−４システムの異なるＩＯＤ中に並列的に格納され、
前記装置はＭＰＥＧ−４規格に準拠し、
前記ＩＯＤを他の情報と共に受信し、
前記ＩＯＤを取り出して前記ＩＰＭＰ制御情報記述子を得て、かつ
前記ＲＥＬ／ＲＤＤパーサにより、前記権利情報を解析および解釈する、請求項９に係る方法。
【請求項１３】
権利および使用ルールを含む権利情報は、前記ＩＰＭＰ制御情報記述子に含まれ、
前記ＩＰＭＰ制御情報記述と権利情報は、ＭＰＥＧ−２のプログラム詳細情報（ＰＳＩ）に格納され、かつ
前記装置はＭＰＥＧ−２規格に準拠し、
前記ＰＳＩを他の情報と共に受信し、
前記ＰＳＩを取り出して前記ＩＰＭＰ制御情報記述子を得て、
前記権利情報を取り出し、かつ
前記ＲＥＬ／ＲＤＤパーサにより、前記権利情報を解析および解釈する、請求項８に係る方法。
【請求項１４】
権利および使用ルールを含む権利情報は、ＭＰＥＧ−２システムのＰＳＩに含まれる権利コンテナに格納され、前記権利コンテナは前記ＰＳＥ中にＩＰＭＰ制御情報記述子と並列的に存在し、
前記装置はＭＰＥＧ−２規格に準拠し、
前記ＰＳＩを他の情報と共に受信し、
前記ＲＥＬ／ＲＤＤパーサにより前記ＰＳＩを取り出して前記権利情報を得て、かつ
前記ＲＥＬ／ＲＤＤパーサにより前記権利情報を解析および解釈する、請求項９に係る方法。
【請求項１５】
前記権利情報は権利ホルダ中に格納され、
前記権利ホルダは対応するデジタル・アイテムに関連付けられ、かつ
前記権利ホルダはデジタル・アイテム・コンテナ全体の先頭に配置されている、請求項２に係る方法。
【請求項１６】
前記権利情報は権利ホルダ中に格納され、
前記権利ホルダは関連する各デジタル・アイテムにローカルに分散され、関連するデジタル・アイテムと関連付けられて前記装置に直接供給される、請求項２に係る方法。
【請求項１７】
前記デジタル・アイテムが間接的に消費されるものである場合には、前記デジタル・アイテムをデジタル・アイテム適合（ＤＩＡ）パーサに送り、
前記デジタル・アイテムについてのＤＩＡの記述を解釈し、
ユーザの端末の状態、ネットワークの状態、およびユーザの嗜好を含む情報をフィードバックするために、ユーザと前記装置の間相互作用を行い、
前記フィードバック情報に基づいて、ユーザへの指示を供給し、
前記デジタル・アイテムの消費のためのＤＩＡツールを収集し、かつ
前記デジタル・アイテムを消費するために前記ＤＩＡツールに送る、請求項１に係る方法。
【請求項１８】
前記デジタル・アイテム・コンテナはＤＩＡツール・リストをさらに含み、
前記ＤＩＡツール・マネージャによりＤＩＡツール・リストを処理し、
前記ＤＩＡツール・リストで要求されているＤＩＡツールを収集し、
収集したＤＩＡツールをそれらの機能に応じてインストールし、
ＤＩＡパーサにより受信および処理される、予め定められたメッセージインターフェースおよび記述子メッセージに応じて、前記ＤＩＡツールを構成および初期化し、かつ
前記ＤＩＡツールを起動する、請求項１に係る方法。
【請求項１９】
前記デジタル・アイテムがＩＰＭＰにより保護されていれば、前記デジタル・アイテムは以降の消費のために保護が解除され、
前記デジタル・アイテムが暗号化されていれば、前記ＩＰＭＰツール・リストで示されるＩＰＭＰツールにより、保護されているデジタル・アイテムを復号化し、
電子認証に保護されていれば、ＩＰＭＰに関連する情報、メッセージ、および権利情報を認証し、
実行が示されていれば、ツール、ユーザ、および端末を認証し、
ＩＰＭＰパーサにより解析されたＩＰＭＰメッセージ、ＤＩＤパーサにより解析されたＤＩＤ記述子、又はＤＩＡパーサにより解析されたＤＩＡ記述子に指示があれば、以降の消費のために、前記デジタル・アイテムから複製制御／使用ルールのための透かしを引き出し、
ＩＰＭＰパーサにより解析されたＩＰＭＰメッセージ、ＤＩＤパーサにより解析されたＤＩＤ記述子、又はＤＩＡパーサにより解析されたＤＩＡ記述子に指示があれば、以降の消費のために、前記デジタル・アイテムから認証情報のための透かしを引き出し、
ＩＰＭＰパーサにより解析されたＩＰＭＰメッセージ、ＤＩＤパーサにより解析されたＤＩＤ記述子、又はＤＩＡパーサにより解析されたＤＩＡ記述子に指示があれば、以降の消費のために、前記デジタル・アイテムから一定のコンテンツＩＤ情報の透かしを引き出し、
前記保護が解除されたデジタル・アイテムを前記表現ツールにより消費し、
前記デジタル・アイテム消費後に、複製制御情報／使用ルールを更新するために透かし情報を埋め込む、請求項１７に係る方法。
【請求項２０】
ＭＰＥＧ−２１システムの装置で使用するデジタル・アイテム処理方法であって、
ＤＩＤメニューを、ＤＩＤを含む他の情報と共に、ネットワークを介してカルーセル式に受信し、
ＤＩＤパーサによりＤＩＤを解析してＤＩＤの各要素の真の意味を解釈し、
前記ＤＩＤメニューをユーザにより読み出し可能に構成し、
ユーザが前記ＤＩＤメニューから一つのデジタル・アイテムを選択し、
ＲＥＬ情報が前記デジタル・アイテムとある場合には、デジタル・アイテムに結び付けられた権利および使用ルールを認証し、
要求された前記デジタル・アイテムを引き出し、
前記デジタル・アイテムがＩＰＭＰにより保護されてはれば、以降の消費のために、デジタル・アイテムの保護を解除し、
前記デジタル・アイテムにリンクされたリソースを特定し、
前記デジタル・アイテムの消費のために、ＩＰＭＰツール、コンテンツ表現ツール、およびＤＩＡツールを含む要求されたツールを収集し、
前記デジタル・アイテムの消費で前記ツールが要求されていれば、予め定められたメッセージインターフェイスに応じて、前記ツールを起動する、デジタル・アイテム処理方法。
【請求項２１】
ＭＰＥＧ−２１システムの装置で使用するデジタル・アイテム処理方法であって、
前記システムは、サーバとクライアントとを含み、
前記サーバに記憶されたＤＩＤメニューを、ネットワークを介してＤＩＤブラウザにより、前記クライアントからリモートで閲覧し、
前記ＤＩＤブラウザにより、各ＤＩＤメニューを解析および解釈し、
ＤＩＤにより記述されたデジタル・アイテムをユーザにより選択し、
ＲＥＬ情報が前記デジタル・アイテムと共にある場合には、前記デジタル・アイテムに結び付けられた権利および使用ルールを認証し、
前記サーバから前記クライアントへ、前記要求されたデジタル・アイテムを取り出し、
前記デジタル・アイテムがＩＰＭＰにより保護されていれは゛、以降の消費のために、前記デジタル・アイテムの保護を解除し、
前記デジタル・アイテムにリンクされたリソースを識別し、
前記デジタル・アイテムの消費のために、ＩＰＭＰツール、コンテンツ表現ツール、およびＤＩＡツールを含む要求されたツールを収集し、
前記デジタル・アイテムの消費で前記ツールが要求されていれば、予め定められたメッセージインターフェイスに応じて、前記ツールを起動する、デジタル・アイテム処理方法。
【発明の詳細な説明】
【０００１】
【発明の属する技術分野】
本発明は、ＭＰＥＧ−２１システムの装置で使用するためのデジタル・アイテム処理方法に関し、特にＭＰＥＧ−２１（Ｍｏｖｉｎｇ　Ｐｉｃｔｕｒｅ　ｉｍａｇｅ　ｃｏｄｉｎｇ　Ｅｘｐｅｒｔｓ　Ｇｒｏｕｐ−２１）におけるコンテンツの配信および保護に関する。本発明は、特に保護されたコンテンツがＭＰＥＧ−２１準拠の装置に基づいて配信および転送され、標準化された権利表現情報に基づいて利用されるようなアプリケーションに関する。
【０００２】
【従来の技術】
今日、マルチメディア・コンテンツの受渡しおよび消費に対するインフラストラクチャを構築するために多くの素子が存在する。しかしながら、これらの素子が、既存しているまたは開発中のいずれかにおいて、互いに関連する方法を記述するための“全体像”が存在しない。ＭＰＥＧ−２１の目的は、これら様々な素子が互いに適合する方法を記述することである。ギャップが存在するところでは、ＭＰＥＧ−２１は、どの新しい標準を必要とするかを勧告する。その他の関連標準がその他の団体によって開発されうる間に、ＭＰＥＧは、次いで適当なものとして新しい標準を開発する。これらの仕様は、ＭＰＥＧとこれらの団体との間の共同研究を通してマルチメディア・フレームワークに統合される。
【０００３】
ＭＰＥＧ−２１は、異なるコミュニティによって使用される広範囲のネットワークおよび装置にわたるメルチメディアリソースの透過および増補使用を可能にするためのビジョンを設定することを目的とする。全体像を設定することは、マルチメディア・コンテンツの受渡しおよび消費に対するインフラストラクチャを構築するために存在する、全ての素子の仕様の方法を記述することである。いま６つの重要な技術要素がＭＰＥＧ−２１において画定されている：ＤＩＤ（デジタル・アイテム・デクラレーション）、ＤＩＩ＆Ｄ（デジタル・アイテム識別および記述）、ＩＰＭＰ（知的財産管理および保護）、ＲＤＤ（権利データ辞書）、ＲＥＬ（権利表現言語）、およびＤＩＡ（デジタル・アイテム適合）。
【０００４】
デジタル・アイテムは、標準表現および識別、およびメタデータを含んでいる、構造化デジタル・オブジェクトとして画定される。このエンティティは、全体としてＭＰＥＧ−２１フレームワーク内の分散およびトランザクションの基本ユニットである。デジタル・アイテムを画定する手段は、デジタル・アイテム・デクラレーションである。ＤＩＤは、デジタル・アイテムの組立、構造、および編成を特定する。ＤＩＤは、デジタル・アイテムを画定するための一組のアブストラク・タームおよびコンセプトによって形成された有用なモデルを画定した。このモデル内で、デジタル・アイテムは、“ワーク”のデジタル表現であり、かつそのように、それは、モデル内で作動（管理、記述、交換、収集、等）されるアイテムである。このモデルの目標は、より高いレベルの機能性を可能にする“フック”を供給すると同時に、可能な限り柔軟かつ汎用であることである。これは、その結果、その他のＭＰＥＧ−２１素子におけるより高いレベルのモデルの構築におけるキー・ファンデーションとしてモデルを役立たせる。
【０００５】
ＭＰＥＧ標準化グループでは、人々は、従順端末を含むＩＰＭＰ（知的所有権管理および保護）システムを標準化することに向けて作業をしている。全ての端末は、それらがどのような種類のＩＰＭＰツールを用いているかに係わらず、同じＩＰＭＰ標準に従うことによって暗号化され、かつ保護される保護コンテンツを表すことができる。ＩＰＭＰ素子は、ＤＩＤモデルに一致すべきである。しかし、現在のＭＰＥＧ−２１　ＩＰＭＰ端末は、ＭＰＥＧ−２１フレームワーク・ベース・コンテンツ−デジタル・アイテム分配および保護−に対する要件に合致することができない。
【０００６】
ＭＰＥは長い間、権利表現言語（ＲＥＬ）および権利ディクショナリデータ（ＲＤＤ）に対するニーズを認識してきた。今や、標準化のためにＭＰＥＧ−２１におけるＲＥＬ／ＲＤＤ向けに２種の新しいパーツを準備している。権利表現情報を含む権利ホルダをどこに配値すべきかは、実際のシステムにとって問題である。
【０００７】
【課題を解決するための手段】
本発明の目的は、ＭＰＥＧ−２１のＤＩの安全な配信または送信のために利用する相互運用可能かつ安全なアーキテクチャを設計することである。
【０００８】
本発明の他の目的は、ＭＰＥＧ−２１関連の“コンテンツ”配信および保護のためにＭＰＥＧ−２１　ＩＰＭＰシステム実装者がＭＰＥＧ−２１　ＩＰＭＰ準拠のシステムを構築する標準的な方法を提供することである。
【０００９】
本発明のさらに他の目的は、ＭＰＥＧ−２１　ＩＰＭＰシステム・アーキテクチャに基づきコンテンツと一緒に権利表現情報を含む権利ホルダを置くための適切かつ合理的な場所、およびＭＰＥＧ−２／４　ＩＰＭＰシステムへのマッピングを設計することである。
【００１０】
本発明の目的は以下の手段により達成される。
・ＭＰＥＧ−２１準拠装置に実装されるＭＰＥＧ−２１システムを規定および標準化する手段
・ＭＰＥＧ−２１システム・アーキテクチャにＭＰＥＧ−２１　ＩＰＭＰを組み込む手段
・ＭＰＥＧ−２１　ＩＰＭＰシステムを用いてリソースを要求から消費にいたるまで保護する手段
・権利ホルダが権利表現情報を格納する場所を規定する手段
・コンテンツ管理およびドメイン管理のためにＭＰＥＧ−２１　ＩＰＭＰの権利ホルダをＭＰＥＧ−２／４ＩＰＭＰにマッピングする手段
【００１１】
コンテンツ・プロバイダ側では、入力“コンテンツ”がコード化されて、ＭＰＥＧ−２１デジタル・アイテムに形成される。ＭＰＥＧ−２１　ＩＰＭＰを用いてデジタル・アイテムが保護されている場合、ＩＰＭＰ制御情報を取得して構成する必要がある。同時に、権利ホルダを取得、構成する必要がある。
【００１２】
権利ホルダは、ＩＰＭＰシステムの下にあろうと、あるいはＩＰＭＰシステムに同様であろうと、コンテンツにバインドされている場合は適切な場所に格納されなければならない。また、範囲外に格納および送信することも可能である。
【００１３】
ＤＩＤがＭＰＥＧ−２１（ＤＥ）ＭＵＸで受信されて、ＤＩＤパーサへ送られた後で、ＤＩＤパーサはＩＰＭＰ情報を抽出して、ＩＰＭＰパーサへ送る。次いでＩＰＭＰパーサはすべてのＩＰＭＰ情報を抽出して、ＭＰＥＧ−２１　ＩＰＭＰシステム内のＩＰＭＰツール・マネージャおよびメッセージ・ルータへその情報を転送する。ＩＰＭＰメッセージ、キー等、他のＩＰＭＰ情報をＩＰＭＰ記述子内のオパークデータあるいはＤＩＤ内のリソース要素として入れることもできる。ＩＰＭＰ制御情報記述子の下に権利表現情報がある場合、ＲＥＬパーサへ転送される。解析された権利情報は、（リモートに）記述子参照を介してＤＩＤまたはリソース内に格納された権利管理ツールにより執行することができる。権利表現情報はまた、範囲外に置いても、ＩＰＭＰ情報に同様して置いても、あるいは異なるリソースに分散させてもよい。
【００１４】
換言すれば、本発明の第１の態様は、ＭＰＥＧ−２１システムの装置で使用するデジタル・アイテム処理方法であって、ネットワークを介して前記装置に対して供給されるデジタル・アイテムを要求し、要求したデジタル・アイテムを受信し、デ・マルチプレクサにより前記受信したデジタル・アイテムを非多重化し、前記非多重化されたデジタル・アイテムから、一つ以上の要素を含むデジタル・アイテム・デクラレイション（ＤＩＤ）を含むデジタル・アイテム・コンテナを引き出し、前記ＤＩＤをＤＩＤパーサにより解析してＤＩＤの個々の要素の真の意味を解釈し、前記解釈された要素がデジタル・アイテムの保護および管理に関連していれは゛、知的所有権管理および保護（ＩＰＭＰ）パーサに前記要素を送ってＩＰＭＰツールを起動する、デジタル・アイテム処理方法を提供する。
【００１５】
本発明の第２の態様は、ＭＰＥＧ−２１システムの装置で使用するデジタル・アイテム処理方法であって、ＤＩＤメニューを、ＤＩＤを含む他の情報と共に、ネットワークを介してカルーセル式に受信し、ＤＩＤパーサによりＤＩＤを解析してＤＩＤの各要素の真の意味を解釈し、前記ＤＩＤメニューをユーザにより読み出し可能に構成し、ユーザが前記ＤＩＤメニューから一つのデジタル・アイテムを選択し、ＲＥＬ情報が前記デジタル・アイテムとある場合には、デジタル・アイテムに結び付けられた権利および使用ルールを認証し、要求された前記デジタル・アイテムを引き出し、前記デジタル・アイテムがＩＰＭＰにより保護されてはれば、以降の消費のために、デジタル・アイテムの保護を解除し、前記デジタル・アイテムにリンクされたリソースを特定し、前記デジタル・アイテムの消費のために、ＩＰＭＰツール、コンテンツ表現ツール、およびＤＩＡツールを含む要求されたツールを収集し、前記デジタル・アイテムの消費で前記ツールが要求されていれば、予め定められたメッセージインターフェイスに応じて、前記ツールを起動する、デジタル・アイテム処理方法を提供する。
【００１６】
本発明の第３の態様は、ＭＰＥＧ−２１システムの装置で使用するデジタル・アイテム処理方法であって、前記システムは、サーバとクライアントとを含み、前記サーバに記憶されたＤＩＤメニューを、ネットワークを介してＤＩＤブラウザにより、前記クライアントからリモートで閲覧し、前記ＤＩＤブラウザにより、各ＤＩＤメニューを解析および解釈し、ＤＩＤにより記述されたデジタル・アイテムをユーザにより選択し、ＲＥＬ情報が前記デジタル・アイテムと共にある場合には、前記デジタル・アイテムに結び付けられた権利および使用ルールを認証し、前記サーバから前記クライアントへ、前記要求されたデジタル・アイテムを取り出し、前記デジタル・アイテムがＩＰＭＰにより保護されていれは゛、以降の消費のために、前記デジタル・アイテムの保護を解除し、前記デジタル・アイテムにリンクされたリソースを識別し、前記デジタル・アイテムの消費のために、ＩＰＭＰツール、コンテンツ表現ツール、およびＤＩＡツールを含む要求されたツールを収集し、前記デジタル・アイテムの消費で前記ツールが要求されていれば、予め定められたメッセージインターフェイスに応じて、前記ツールを起動する、デジタル・アイテム処理方法を提供する。
【００１７】
【発明の実施の形態】
デジタル・アイテムは、標準表現および識別、およびそれぞれの内容、例えば、タイトルに関するデータかつ動画像に対する複製許可を説明するためにそれぞれのデジタル・アイテムに属する、メタデータを含む構造化デジタル・オブジェクトとして画定される。このエンティティは、全体としてＭＰＥＧ−２１フレームワーク内の分配およびトランザクションの基本ユニットである。このＭＰＥＧ−２１に関するユニットに集中し、ＭＰＥＧ−２１の下で存在している６つの技術的要素を、以下に簡単に記述し、かつリストする。
【００１８】
・デジタル・アイテム・デクラレーション（デジタル・アイテムを宣言するための均一かつ柔軟なアブストラクションおよびインタオペラブル・スキーマ）：これは、デジタル・アイテムの構造および組立を宣言するための機構を特定する。
【００１９】
・デジタル・アイテム識別および記述（その特性、種類または細分性に係わりなくあらゆるエンティティの識別および記述に対するフレームワーク）。これは、デジタル・アイテムおよびそれらの部分および集合を記述し、かつ独自に識別することができる方法を特定する。
【００２０】
・知的財産権管理および保護アーキテクチャまたはツール表現および通信システム（広範囲のネットワークおよび装置にわたりコンテンツを継続的かつ信頼可能に管理し、かつ保護することができる手段）。これは、デジタル・アイテムに関連付けられた知的財産権管理および保護に関する情報を特定する。
【００２１】
・権利表現言語（権利データ辞書に画定された用語を用いて権利および許可を宣言することができる機械可読言語）。これは、プライバシーおよび個人データの使用の問題に取り組む方法でデジタル資源の透過および増補使用を支持し、かつそれらの権利および問題点を表現するための柔軟な、インタオペラブルな機構を特定する。
【００２２】
・権利データ辞書（ＭＰＥＧ−２１権利表現言語に使用する用語の一組の、明快で、一貫した、構造化され、かつ統合された定義）。
【００２３】
・デジタル・アイテム適合：リソース適応、記述子（‘メタデータ’）適応、およびサービス管理の品質を支持するためのツールを供給する。
【００２４】
この明細書に示す“ツール”は、相互認証や、データ暗号化規格（ＤＥＳ）に従う解読のような一つ以上の所定の処理を実行するためのコンピュータ実行可能プログラムである。かかるプログラムは、ダイナミック・リンク・ライブラリ（ＤＬＬ）、ＪＡＶＡ（ジャバ：登録商標）コード・プログラム・モジュール、等の形式で利用可能である。
【００２５】
図１に、ＭＰＥＧ−２１　ＩＰＭＰシステム・アーキテクチャの基本概念を示す。図１において、ＭＰＥＧ−２１　ＩＰＭＰシステムに到来するモジュール１．１内のコンテンツはＭＰＥＧ−２１被保護マルチディアであると想定する。実際、ＭＰＥＧ−２１の“全体像”において、入力コンテンツはＭＰＥＧ−２１フレームワーク内のデジタル・アイテムと呼ばれる。モジュール１．１内の３ユニット１．２、１．３、１．４は、ＩＰＭＰシステムで処理するためにコンテンツへ転送されたＩＰＭＰ情報を示す。ＩＰＭＰツール・リスト（ユニット１．２）はコンテンツを処理するのに必要なＩＰＭＰツールを識別して、それらの選択を可能にする。ＩＰＭＰツール・エレメンタリ・ストリーム（ユニット１．３）は、コンテンツ自身に格納された実際のツールを識別する。ＩＰＭＰ情報（ユニット１．４）は所定のＩＰＭＰツールに向けられた情報を識別して、その動作を可能にしたり、支援したり、または容易にする。
【００２６】
図１の右側部分は、ＩＰＭＰツール・マネージャ（モジュール１．６、ＩＰＭＰツール・リスト（群）ユニット１．２を処理して、その中で指定されたＩＰＭＰツールモジュール１．８、１．９、１．１０、１．１１を取り出す）を含むＭＰＥＧ−２１　ＩＰＭＰ端末２００ないしはクライアント（モジュール１．５、保護されている入力コンテンツを使用ルールに準拠して利用する装置）と、メッセージ・ルータ（モジュール１．７、端末ツールインターフェースの端末側の挙動を実装する）とを示す。欠落ＩＰＭＰツールのモジュール１．８（モジュール１．５では利用不可）およびＩＰＭＰツールのモジュール１．９、１．１０、１．１１（モジュール１．５で利用可能）は、認証、解読、透かし入れ等、（１個以上の）ＩＰＭＰ機能を実行するツールを示す。
【００２７】
（第１実施形態）
図２は本発明の第１実施形態を示す。図２に示すように、ＭＰＥＧ−２１　ＩＰＭＰ用の更新されたアーキテクチャ図が仮定されたＭＰＥＧ−２１システム上に構築され、これはＭＰＥＧ−２１ファイル形式（モジュール２．１４）であってよい。従って、図２に示すようにＭＰＥＧ−２１端末においてＭＰＥＧ−２１システム・で・マック（ＤｅＭｕｘ）・モジュール２．９には、ＤＩＤバイナリの非多重化およびＸＭＬへの変換を含むバイナリ形式のＭＰＥＧ−２１データの処理が求められ、次いで処理されたデータは以降の処理を受けるためにＤＩＤパーサ・モジュール２．９へ渡される。
【００２８】
デジタル・アイテムを規定する手段がデジタル・アイテム・デクラレーション（ユニット２．２）である。全体構造は図３に図示されている。ＤＩＤはデジタル・アイテム（ユニット２．１）の構成、構造および組織を指定する。ＤＩＤアイテムは、リソース、関連メタデータ、およびパーツ間の関係のリストを含む。ＤＩＤは、デジタル・アイテムを規定するためにコンテナ、アイテム、コンポーネント、アンカー、記述子、条件、チョイス、セレクション、注釈、主張、リソース、フラグメント、ステートメント等の（例：図３のユニット３．１３、３．７、３．８に示す）抽象的な用語と概念の組により形成された有用なモデル（図３のユニット３．１）を規定している。このモデルの範囲内で、デジタル・アイテムとは“作品”のデジタル表現であり、かくしてモデルの中で作用（管理、記述、交換、収集等）を受けるアイテムである。このモデルの目標は可能な限り柔軟かつ一般的になることであり、一方でより高レベルの機能を可能にする“フック”を提供することである。これは次いで、モデルが他のＭＰＥＧ−２１要素内でより高いレベルのモデルを構築する際の主要な基礎の役割を果たせるようにする。ＩＰＭＰ要素はこのモデルにも適合するはずである。
【００２９】
ＩＰＭＰフレームワークは、デジタル・アイテム（ＤＩ）の保護と、付随する権利表現執行のためのツールをサポートする端末システムである。ＤＩＤとＩＰＭＰフレームワークをリンクすべくＤＩＤモデルに基づく“ＩＰＭＰ＿Ｓｃｈｅｍｅ”記述子［１］と名付けられた１個のＸＭＬベースコンポーネントを提案する。
【００３０】
ＭＰＥＧ−２１　ＩＰＭＰ被保護コンテンツ−ＤＩユニット２．１を考慮したＭＰＥＧ−２１　ＩＰＭＰウォークスルー概念向けの新しいアーキテクチャ図を図２に示す。サーバ２０１中のＭＰＥＧ−２１被保護コンテンツを左側に示し、これは基本的なＭＰＥＧ−２１概念エンティティＤＩとみなせる。ＤＩ２．１は必須／コア・エンティティＤＩＤ（ユニット２．２）およびその参照されたリソース（ユニット２．８）を含む。以下、ネットワークないしは通信網２００におけるＭＰＥＧ−２１　ＩＰＭＰ被保護コンテンツ−ＤＩ送信を記述するために、“ＤＩ要請”および“ＤＩ配信”を用いる。図３において、全体ＤＩＤモデルは、図３に示すＩＰＭＰスキーム記述子に保持されているＤＩＩＤ（ユニット３．５）およびＩＰＭＰ情報（ユニット３．２、３．３、３．４）を含む。２個の記述子、“ＩＰＭＰ制御情報記述子（ＩＰＭＰ　Ｃｏｎｔｒｏｌ　Ｉｎｆｏｒｍａｔｉｏｎ　Ｄｅｓｃｒｉｐｔｏｒ）（ユニット３．２）”および“ＩＰＭＰ記述子（ＩＰＭＰ　Ｄｅｓｃｒｉｐｔｏｒ）（ユニット３．３、３．４）”がある。これらの記述子も図２のアーキテクチャ図（ユニット２．３、２．７）に反映させることができる。
【００３１】
図２を再度参照すると、デジタル・アイテム２．１はＤＩＤ２．２およびリソース２．８を含む。各ＤＩＤは、ＩＰＭＰ制御情報記述子２．４およびＩＰＭＰ記述子２．７を備える。ＩＰＭＰ制御情報記述子２．３は、ＩＰＭＰツール・リスト２．３、ＩＰＭＰツール・ホルダ２．５、および権利ホルダ２．６を含む。ＩＰＭＰツール・リスト２．４はＩＰＭＰツールＩＤ（群）２．４１、代替ＩＰＭＰツールＩＤ（群）２．４２、およびパラメトリック・ツール記述２．４３を含む。さらに、ＩＰＭＰツール・ホルダ２．５はＩＰＭＰツールＩＤ（群）２．５１と、ＩＰＭＰツール本体２．５１を含む。さらにまた、権利ホルダ２．６は権利ツール・ホルダ２．６１と権利表現２．６２を含む。
【００３２】
図３を参照して、デジタル・アイテムのコンテナ３．１の編成を説明する。以下の構成を有するコンテナ３．１は、素子を配置することによりサーバによって生成される。コンテナ３．１の開始から、コンテナ３．１は、この順番で記述子３．１１、アイテム３．１２、３．１３、および３．１４を有しかつＸＭＬを用いることによりテキスト・フォーマットで記述される。
【００３３】
記述子３．１１は、例えば、どのような種類のアイテムがコンテナ３．１に含まれるかを示しかつデジタル・アイテム・デクラレーション（ＤＩＤ）として、またはコンテナ記述子とも呼ばれる。記述子３．１１は、“ステートメント”として示される、ＩＰＭＰスキーム記述子３．２を含む。ＩＰＭＰスキーム記述子３．２の始めには、ＩＰＭＰ制御情報記述子が配置され、サーバのエンコードがコンテンツをコード化する場合に用いられるツールのリストを記述する。
【００３４】
アイテム３．１２から３．１４は、それぞれ、動画像、静止画像、および音声のようなコンテンツに関する。例えば、アイテム３．１２は、記述子３．１５およびコンポーネント３．１６のような一つ以上のコンポーネントを含む。記述子３．１５は、アイテム３．１２に関する固有の情報を記述する。コンポーネント３．１６は、資源３．１７および資源３．１７に対する記述子３．１８を含む。記述子（ＤＩＤ）３．１８は、識別子により資源３．１７を識別するデジタル・アイテム識別および記述（ＤＩＩＤ）３．５を含む。資源３．１７は、動画像、静止画像、および音声のような実際のデータである。代替的に、資源３．１７は、実際のデータが記憶される、ネットワークのサーバを特定するＵＲＬ（ユニフォーム・リソース・ロケータ）でありうる。
【００３５】
アイテム３．１３および３．１４の各構成は、アイテム３．１２の構成と同じである。アイテム３．１３および３．１４は、記述子（ＤＩＤ）および資源を含むコンポーネントを有する。それぞれの記述子（ＤＩＤ）は、ＩＰＭＰスキーム記述子としてステートメント３．３および３．４を有する。ＩＰＭＰスキーム記述子は、特定の保護された資源に対する完全に記述されたＩＰＭＰツール情報および関連制御メッセージの一つに関する必要なＩＰＭＰ情報を特定するＩＰＭＰ記述子を有する。ＩＰＭＰ記述子は、ユーザに分配される、ＤＩＤ下の同じコンポーネント親素子内の最も近い資源記述子（即ち、資源に対応している記述子（ＤＩＤ））に配置される。
【００３６】
図２に示すように、ＭＰＥＧ−２１システム・アーキテクチャに存在している異なるモジュールについて以下に簡単に説明する。
【００３７】
１）ＭＰＥＧ−２１（デ）マック（（Ｄｅ）Ｍｕｘ）（モジュール２．９）
これはＭＰＥＧ−２１端末から外部への標準インターフェースである。デジタル・アイテム（群）の一部を形成するデジタル・アイテム（群）とリソースのＤＩＤを受信（送信）する。（デ）マック２．９は、ＤＩＤバイナリの非多重化およびＸＭＬフォーマット（ＤＩＤＬ）への変換を含むバイナリ形式のＭＰＥＧ−２１データの処理が必要とされる。
【００３８】
２）ＤＩＤパーサ（モジュール２．１０）
ＤＩＤパーサは、ＭＰＥＧ−２１（デ）マックからＤＩＤを受け取って、デジタル・アイテムの構造を宣言するＤＩＤＬテキストを解析する。
【００３９】
３）ＩＰＭＰパーサ（モジュール２．１１）
ＩＰＭＰパーサ２．１１はＤＩＤに保持された（ＸＭＬの）ＩＰＭＰ情報テキストを受け取って解析する。通常はこのＩＰＭＰ情報（および例えばＲＥＬ等、他の情報）に作用すべくＩＰＭＰツール（群）を用いる。
【００４０】
４）ＲＥＬパーサ（モジュール２．１２）
ＲＥＬパーサは、ＤＩＤまたはＩＰＭＰ情報に保持されたＲＥＬテキストを（ＸＭＬで）受け取って解析する。
【００４１】
５）コンテンツ表現ツール（モジュール２．１３）
コンテンツ表現ツール２．１９コンテンツを受け取って、例えば復号化、制作および表現を行なう。コンテンツ表現ツールは、非ＷＧ１１標準用のＭＰＥＧ−２１端末の範囲外である。
【００４２】
６）ＩＰＭＰツール・マネージャ（モジュール２．１９）
ＩＰＭＰツール・マネージャ２．１９は、ＩＰＭＰツール・リスト（群）を処理して、その中で指定されているＩＰＭＰツールを取り出す（例えば、リソース（群）がどれもまだ利用開始されていない段階で欠落ＩＰＭＰツールを取り出す）。数年後にＩＰＭＰツールが壊れた場合、更新可能性を提供するための主要要素である。
【００４３】
７）端末−ツール・メッセージ交換インターフェース（モジュール２．１６）
これは、事前に実装可能な、または他所からロード可能な知的財産保護されたＩＰＭＰツールと通信／インターフェースを取るために利用すべくＭＰＥＧ−２１端末に実装されていて、将来更新することができる。このようなインターフェースを用いるのは、異なるＭＰＥＧ−２１　ＩＰＭＰ端末同士を異なるＩＰＭＰツールでの相互運用を実現するためである。
【００４４】
８）ＩＰＭＰツール（モジュール２．１７）
これはＩＰＭＰ機能を実行する知的財産保護されたツールを表し、ＩＰＭＰのベンダーにより提供されて、指定されたＩＰＭＰインターフェースに基づいて構築することができる。
【００４５】
上記３種のモジュールおよび図２のユニット２．４、２．５は、図２のモジュール１．６、１．７、１．８、および１．９、並びに図１のユニット１．２、１．３と同じ機能を備えている。
【００４６】
ＭＰＥＧ−２１　ＩＰＭＰにより保護されたＤＩの消費について説明する。
【００４７】
１）ユーザが特定コンテンツを要求する。
ターミナル２０２とサーバ２０１の通信が確立された後、コンテンツの異なる部分を受信および使用するための順序として以下が実行される。
【００４８】
ａ）端末２０２に対するＩＰＭＰ要求は、端末に対する媒体要求と同時にまたはそれより前になされる必要がある。
【００４９】
ｂ）アクセス情報および／または制限はコンテンツストリームダウンロード情報に先行する必要がある。（ＩＰＭＰ制御情報記述子）
【００５０】
ＤＩＤ２．２がＭＰＥＧ−２１（デ）マック２．９で受信されて、ＤＩＤパーサ２．１０へ送られた後、ＤＩＤパーサ２．１０はＩＰＭＰ情報を抽出して、ＩＰＭＰパーサ２．１１へ送る。次いでＩＰＭＰパーサ２．１１はすべてのＩＰＭＰ情報を抽出して、ＭＰＥＧ−２１　ＩＰＭＰシステム内のＩＰＭＰツール・マネージャ２．１９およびメッセージ・ルータ２．１６へその情報を転送する。他のＩＰＭＰメッセージ、キー等、他のＩＰＭＰ情報をＩＰＭＰ記述子のオパークデータあるいはＤＩＤ内のリソース要素として入れることもできる。ＩＰＭＰ制御情報記述子２．２の下に権利表現情報がある場合、ＲＥＬパーサ２．１２へ転送される。解析された権利情報は、（リモートで）記述子参照を介してＤＩＤ２．２またはリソース内に格納された権利管理ツールにより執行することができる。
【００５１】
２）ＩＰＭＰツール記述へのアクセス
ツール・マネージャ２．１９はＩＰＭＰツール・リスト２．４にアクセスする。ＩＰＭＰツール・リストを用いて、端末はコンテンツを保護および利用するのに必要とされるＩＰＭＰツールを準備し、取り出す。
【００５２】
３）ＩＰＭＰツールの取得
ＩＰＭＰツール２．１７が端末２０２においてローカルに利用可能な場合、次のステップに進む。あるいは、ＩＰＭＰツールが端末２０２でローカルに利用可能でない場合、端末２０２は欠落ＩＰＭＰツール２．１５を取得しようと試みる。欠落ツール２．１５のいくつかはコンテンツ自身に格納されているかもしれない。そうでなければ、ツールをリモートで取得せねばならない。［２］に、“ＩＰＭＰツールストリーム”はＤＩＤ（ツール・ホルダ）内に格納されている、または記述子参照を介して資源内に格納されていてもよいと述べている。ＩＰＭＰツール・マネージャ２．１９は欠落ＩＰＭＰツール２．１５にアクセスして獲得する。
【００５３】
４）ＩＰＭＰツールのインスタンス化
端末２０２はＩＰＭＰツール（群）２．１７をローカルに、またはリモートにインスタンス化する。インスタンス化されたＩＰＭＰツールはＤＩＤから初期ＩＰＭＰ情報と共に提供される。ＤＩＤで識別された１個以上のツールはＩＰＭＰ情報を用いて、コンテンツにアクセスするためのセキュリティ要件を決定したり、ツール間通信におけるこれらのセキュリティ要件の成立と維持を監視して容易にする。
【００５４】
５）ＩＰＭＰの初期化および更新
このステップはリソース消費と同時に生起する（ＤＩＤパーサ２．１０がリソース２．８へ参照を抽出する。ＭＰＥＧ−２１（デ）マック２．９はリソースを受信してリソース表現ツールへ送信する）。メッセージ・ルータ２．１６はＩＰＭＰ情報をＩＰＭＰツール２．１７へルーティングし、必要なＩＰＭＰツール２．１７により許可された場合、端末２０２はコンテンツを消費する。リソースを消費している間に、完全な手順を再度要求することができる。リソース消費に対する要求はプロセス内で暗黙的である。
【００５５】
次に、ＭＰＥＧ−ｎ　ＩＰＭＰシステムにおける権利表現の執行について説明する。
【００５６】
権利表現情報は異なるアプリケーションを考慮して、異なる場所に入れることができる。ここで権利情報はすべての使用ルール、ライセンスキー等を含むが、時間依存のキー情報は含まない。従って以下が可能である。
【００５７】
ａ）図４に示すように、権利情報を帯域外（すなわちＭＰＥＧ−２／４／２１等の任意の特定のシステム以外）であっても、相互運用性のために標準的な方法で関連するコンテンツとリンクする方法を規定することにより権利情報を格納する。
【００５８】
ｂ）図５に示すように、権利情報を特定のシステム内部に、しかしグローバルな権利表現としてあらゆる媒体コンテンツの前に格納する。
ｃ）図６に示すように、権利情報をローカルに格納して関係するコンテンツと直接関連付けるが、この方式では権利情報は実際には各リソース内へ分散される。
【００５９】
以下、項目ａ）、ｂ）、およびｃ）をさらに説明する。
ａ）帯域外（すなわちＭＰＥＧ−２／４／２１等の任意の特定システム以外）での権利情報の格納
図４において、範囲外に格納された権利を示し、そこでＲＥＬ／ＲＤＤ（ユニット４．３）はオフラインで配信可能であって、コンテンツ（ユニット４．２）と共にオンラインでも配信可能である。後者の場合、ＲＥＬ／ＲＤＤ４．３は準拠端末４．８へ送信されたコンテンツ全体からＲＥＬ／ＲＤＤ部分のセグメントを示すヘッダ（ユニット４．４）を持つべきである。次に、ユニット４．２、４．３、４．４はコンテンツ構造（ユニット４．１）を形成する。
【００６０】
ＲＤＤは、異なるシステムでは異なる名前を持つコンテンツ識別子を指すことにより、各権利をそれに関係するコンテンツと結び付けるために用いられる。例えば、ＭＰＥＧ−２ではＰＩＤが用いられ、ＭＰＥＧ−４ではＯＤ　ｉｄおよびＥＳＤ　ｉｄを用いてそのシステム内で自分のコンテンツを識別する。
【００６１】
ＲＥＬ／ＲＤＤ情報が生成され、保護対象のコンテンツに添付される。
【００６２】
ＲＥＬ／ＲＤＤ（ユニット４．３および４．４）はコンテンツにカルーセル式に挿入され、端末４．８に対してユーザが被保護コンテンツにアクセスする際はいつでも権利情報について通知する。
【００６３】
準拠型端末モジュール４．８は、ＭＰＥＧ−ｎＩＰＭＰシステム（モジュール４．７）にリンクされるＲＥＬ／ＲＤＤパーサ（モジュール４．６）が後続するＲＥＬストリッパ（モジュール４．５）を含んでいる。
【００６４】
この場合、ＲＥＬ／ＲＤＤはＭＰＥＧ−ｎシステムのどの部分にも属さず、ＭＰＥＧ−２１システムにさえ属さない。それではＭＰＥＧ−ｎシステムの整合性と相互運用性が損なわれる。
【００６５】
ｂ）権利情報を特定のシステム内部に、しかしグローバルな権利表現としてあらゆる媒体コンテンツの前の格納
図５において権利は、ＭＰＥＧ−４システム内のＩＯＤ、ＭＰＥＧ−２システム内のＰＳＩ、およびＭＰＥＧ−２１システム内のＤＩＤ等、グローバルな位置にあるＭＰＥＧ−ｎシステムに格納される。この場合、ＲＥＬ／ＲＤＤはＭＰＥＧ−ｎシステムの１個のコンポーネントに属する（モジュール５．１）。
【００６６】
ＲＥＬ／ＲＤＤ情報（時間依存のキー情報でない限りユニット５．３）をグローバルな位置に置いて、あらゆる媒体コンテンツ（ユニット５．２）を利用し始める前に、利用したいすべての媒体コンテンツ（ユニット５．２）に関係する権利情報を記述することができる。これはそれぞれの権利をＲＤＤに規定されている対応コンテンツ識別子と関連付けることにより行なわれる。
【００６７】
端末５．８において、このように送信されたコンテンツはＭＰＥＧ−ｎ　デマック（モジュール５．４）により取得され、次いでＩＰＭＰおよびＲＥＬ／ＲＤＤパーサ（モジュール５．５）に渡され、続いてＭＰＥＧ−ｎ　リソース（モジュール５．６）が後続する。
【００６８】
ｃ）権利情報をローカルに格納して関係するコンテンツと直接関連付け、この方式では権利情報は実際には各リソース内へ分散される。
図６において権利はＭＰＥＧ−ｎシステム（モジュール６．１）にローカルに格納されていて、それぞれ関連するコンテンツ（ユニット６．２）内に分散される。この場合、権利がデジタル的に署名されている可能性があるコンテンツにユーザがアクセスする度に権利情報を検証する必要があり、それでは図５に示す方法ｂ）と比較して端末に繰返し負荷が生じることになる。
【００６９】
ａ）およびｂ）の方法と同様に、コンテンツを消費し始める直前にすべてのライセンスおよび使用ルールを取り出す方が好都合なことは明らかである。
【００７０】
異なる場所において権利を格納する上述の３種の異なる方法を比較した上で、方法ｂ）の選択を提案する。その理由は、ＭＰＥＧ−ｎＩＰＭＰシステムとの整合性および一貫性の観点から好ましいためである。この場合の、ＭＰＥＧ−２／４／２１　ＩＰＭＰシステム内の権利ホルダ位置について以下に詳細に説明する
。
【００７１】
次に、ＭＰＥＧ−２１　ＩＰＭＰ内の権利ホルダおよびそのＭＰＥＧ−２／４ＩＰＭＰへのマッピングについて説明する。具体的には、上述のセクションＩＩに記載されている方法“ｂ”の詳細な仕様について説明する。
【００７２】
ＩＰＭＰ制御情報記述子（ユニット２．３）内の権利ホルダ（ユニット２．６）を用いて権利表現情報を保持することを提案する。ＩＰＭＰ制御情報記述子は最外郭のコンテナ記述子ステートメントにより設計される。従って、ここでの権利情報は、全体的としてＤＩＤで表現されたアイテム、コンポーネントおよびリソースにアクセスする前の最外郭の情報である。この概念を図２にＭＰＥＧ−２１　ＩＰＭＰシステムの詳細アーキテクチャに関して示している。
【００７３】
この図はＭＰＥＧ−２１　ＩＰＭＰ内へＭＰＥＧ−２１の他の要素を組み込むことにより更新されたバージョンである。左側において、ＭＰＥＧ−２１　ＩＰＭＰにより保護されたＭＰＥＧ−２１デジタル・アイテム２．１を示し、その中で権利ホルダがＲＥＬ情報を保持してＩＰＭＰ制御情報記述子の制御下に置かれている。ＭＰＥＧ−２１　ＩＰＭＰ端末２０２において、ＲＥＬパーサ（モジュール２．１２）はいかなるコンテンツの利用を始める前に、権利許諾を解釈して端末２０２へ転送するように要求される。
【００７４】
図１２に、権利情報がＩＰＭＰ制御情報に格納されているＭＰＥＧ−２１　ＤＩによる消費のフローチャートを示す。図１２において、各要素には図２と同一の番号が付されている。
【００７５】
このような方法での権利表現情報の保持にはいくつかの利点がある。
【００７６】
ａ）全体の権利表現部をＩＰＭＰシステムにより容易に保護することができ、端末側では任意のコンテンツを利用する前に一度だけ権利情報を認証すればよい。
【００７７】
ｂ）ＤＩが完全にＩＰＭＰシステムにより保護されている場合、顧客は任意の被保護リソースを実際に実行する前にライセンス合意を見直す機会が与えられる。
【００７８】
ｃ）コンテンツ制作者に好都合である。これはリソース（群）が既製品であってコンテンツ制作者がそれ以上リソースを変更したくない場合、まさにそうである。
【００７９】
ｄ）この構造がＭＰＥＧ−２１　ＩＰＭＰに採用されたならば、既存のＭＰＥＧ−２／４ＩＰＭＰにマッピングすることは容易である。
【００８０】
次に、ＭＰＥＧ−２１　ＩＰＭＰからＭＰＥＧ−４　ＩＰＭＰへの権利ホルダの場所をマッピングについて説明する。
【００８１】
そのようなＸＭＬベースの権利メッセージユニット８．１を（バイナリ形式で）格納する合理的な場所は、図８に示すようにシーン記述ストリーム（ユニット８．２）またはオブジェクト記述ストリーム（ユニット８．３）等のエレメンタリ・ストリームの一つである。ＩＯＤ（ユニット８．４）の内部で、ＥＳ記述子（ユニット８．５）がストリームを記述する。このＥＳＤはＩＰＭＰツール・リスト記述子（ユニット８．６）と共にＭＰＥＧ−４　ＩＰＭＰ制御情報記述子を形成する。
【００８２】
このような場合、ＢＩＦストリームは異なるオブジェクト間の関係を、空間的関係および時間的関係により記述し、一方ＩＰＭＰシーン／ＩＰＭＰ権利ストリームはＯＤ　ＩＤとＥＳＤ　ＩＤを用いて対応するコンテンツと関連付けた各オブジェクトに適用された異なる権利許諾を記述する。
【００８３】
復号化の冒頭に設定されたすべてのオブジェクトセットに対して整理され明確になった権利構造が望まれる場合、この方法が最良の選択である。同時に、コンテンツ制作で用いられる全体的なＩＰＭＰシーン構造を与えて、異なるオブジェクトに適用された異なる種類の権利関係を示すことができる。
【００８４】
この方法はまた、ＤＩＤがＭＰＥＧ−２１　ＩＰＭＰの入口ポイントであるのと全く同様に、ＩＯＤがＭＰＥＧ−４ＩＰＭＰの入口ポイントであるため、同様に意味がある。これはＭＰＥＧ−２１　ＩＰＭＰからＭＰＥＧ−４　ＩＰＭＰへのまさに適切なマッピングである。
【００８５】
コンテンツと権利情報が互いに緊密に関係付けられている状況で権利情報がコンテンツと共へ送信された場合、相互運用性のため権利を所定の場所に格納するための標準的な方法を規定する必要がある。また、権利情報を所定の場所に格納する、ＭＰＥＧ−４ＩＰＭＰシステム用の新しいストリームを考える。本発明で同じ提案をさらに詳述する。
【００８６】
次に、ＭＰＥＧ−２１　ＩＰＭＰからＭＰＥＧ−２　ＩＰＭＰへの権利ホルダ位置のマッピングについて説明する。
【００８７】
ＭＰＥＧ−２　ＩＰＭＰの現在作業中のドラフトで示すように、ＭＰＥＧ−２システムにおいて、ＰＡＴおよびＰＭＴテーブル以外の別のテーブルとして規定されたＩＰＭＰ制御情報（図１０のユニット１０．１参照）がＰＳＩ（プログラム固有情報：Ｐｒｏｇｒａｍ　Ｓｐｅｃｉｆｉｃ　Ｉｎｆｏｒｍａｔｉｏｎ）に挿入されて、権利情報（ユニット１０．３）だけでなくＩＰＭＰ関連情報をも記述する。
【００８８】
コンテンツの利用を始める前に、すべてＩＰＭＰおよび権利情報が取得されて、それらに関連付けられたＰＩＤ（プログラム識別子：Ｐｒｏｇｒａｍ　Ｉｄｅｎｔｉｆｉｅｒ）番号に従って処理される。
【００８９】
図１０は、権利情報がＩＰＭＰ権利コンテナに格納されているＭＰＥＧ−２　ＩＰＭＰシステムにより保護されたコンテンツ構造を示す。
【００９０】
ＤＩＤがＭＰＥＧ−２１　ＩＰＭＰの入口ポイントであるのと全く同様に、ＰＳＩがＭＰＥＧ−２　ＩＰＭＰの入口ポイントであるため、これはＭＰＥＧ−２１　ＩＰＭＰからＭＰＥＧ−２　ＩＰＭＰへの別の良好なマッピングである。
【００９１】
ＭＰＥＧ−２　ＩＰＭＰ内のＰＳＩに置かれたＩＰＭＰおよび権利情報は、ＭＰＥＧ−２１　ＩＰＭＰ内のＤＩＤに置かれたＩＰＭＰおよび権利情報に類似している。
【００９２】
（第２実施形態）
第２実施形態は、第１実施形態において説明した方法“ｂ”の他の詳細な仕様に関する。
【００９３】
第１実施形態において、権利ホルダはＩＰＭＰ情報の一種であると考えられるため、図２に示すようにＭＰＥＧ−２１　ＩＰＭＰシステム内のＩＰＭＰ制御情報記述子の下に置かれる。一方、ＲＥＬもまたＩＰＭＰ制御情報と同レベルに置くことが可能である。この概念を、ＭＰＥＧ−２１　ＩＰＭＰシステムの詳細アーキテクチャについて図７に示す。
【００９４】
この図は、ＭＰＥＧ−２１の他の要素をＭＰＥＧ−２１　ＩＰＭＰに組み込むことによる別の更新されたバージョンである。左側において、ＭＰＥＧ−２１　ＩＰＭＰにより保護されたＭＰＥＧ−２１デジタル・アイテム（モジュール２．１）を示し、その中で権利記述子ないしは権利ホルダ（ユニット７．１）がＲＥＬ情報を保持してＩＰＭＰ制御情報と同じレベルでＤＩＤコンテナ２．２に置かれている。ＭＰＥＧ−２１　ＩＰＭＰ端末２０２において、ＲＥＬパーサ２．１２とＩＰＭＰパーサ２．１１はあらゆるコンテンツの利用を始める前に、権利許諾ＩＰＭＰ制御情報を解釈して端末２０２へ転送するように要求される。図７において、図２と同一の要素には同一の番号を付している。
【００９５】
権利表現部がＩＰＭＰシステムにより保護されている場合、最初にＩＰＭＰパーサ２．１１が実行される前にＩＰＭＰ情報を取り出すのは不都合である。従ってこの場合、ＩＰＭＰパーサ２．１１はＲＥＬパーサ２．１２に引き続いて実行されなければならない。
【００９６】
図１３に、権利情報がＩＰＭＰ制御情報の外かつ前に格納されているＭＰＥＧ−２１　ＤＩによる利用のフローチャートを示す。図１３において図２および図７と同一の要素には同一の番号を付している。
【００９７】
次に、ＭＰＥＧ−２１　ＩＰＭＰからＭＰＥＧ−４　ＩＰＭＰへの権利ホルダの場所のマッピングについて説明する。
【００９８】
そのようなＸＭＬベースの権利メッセージを（バイナリ形式で）格納する合理的な場所は図９に示すように、シーン記述ストリームまたはオブジェクト記述ストリーム等のエレメンタリ・ストリームの１個である。ユニット９．２中のＩＯＤの内部およびＩＰＭＰ制御情報の外部で、ＥＳ記述子がストリームを記述するが、ＩＰＭＰ内のＩＰＭＰツール・リスト記述子（ユニット９．２および９．４参照）と同様である。
【００９９】
権利情報をＩＰＭＰ制御情報の内部または外部でＥＳ記述子に格納するのは、本発明の第１実施形態で述べたのと同じ意図からである。
【０１００】
次に、ＭＰＥＧ−２１　ＩＰＭＰからＭＰＥＧ−２　ＩＰＭＰへ権利ホルダの場所のマッピングについて説明する。
【０１０１】
ＭＰＥＧ−２　ＩＰＭＰの現在作業中のドラフトで示すように、ＭＰＥＧ−２システムにおいて、ＰＡＴおよびＰＭＴテーブル以外の別のテーブルとして規定されたＩＰＭＰ制御情報がＰＳＩ（プログラム固有情報）に挿入されて、権利情報だけでなくＩＰＭＰ関連情報をも記述する。
【０１０２】
コンテンツの利用を始める前に、すべてＩＰＭＰおよび権利情報が取得されて、それらに関連付けられたＰＩＤ（プログラム識別子）番号に従って処理される。
【０１０３】
図１１に、ユニット１１．２内のＩＰＭＰ制御情報（ユニット１１．２および１１．３参照）と同様のＩＰＭＰ権利コンテナ（ユニット１１．１）に権利情報ないしは権利コンテナ（ユニット１１．１）が格納されている、ＭＰＥＧ−２　ＩＰＭＰシステムにより保護されたコンテンツ構造を示す。
【０１０４】
ＤＩＤがＭＰＥＧ−２１　ＩＰＭＰの入口ポイントであるのと全く同様に、ＰＳＩがＭＰＥＧ−２　ＩＰＭＰの入口ポイントであるため、これはＭＰＥＧ−２１　ＩＰＭＰからＭＰＥＧ−２　ＩＰＭＰへの別の好適なマッピングである。
【０１０５】
ＭＰＥＧ−２　ＩＰＭＰ内のＰＳＩに置かれたＩＰＭＰおよび権利情報は、ＭＰＥＧ−２１　ＩＰＭＰ内のＤＩＤに置かれたＩＰＭＰおよび権利情報に類似している。
【０１０６】
図１４は本発明の第３実施形態を示している。ＤＩＤコンテナ２．２は、ＤＩＡ（デジタル・アイテム適合：Ｄｉｇｉｔａｌ　Ｉｔｅｍ　Ａｄａｐｔａｔｉｏｎ）ツール・リスト１４．１を含むＤＩＡ記述子１４．１０を備えている。また、端末２０２はＤＩＡパーサ１４．４を備えている。
【０１０７】
ＤＩＡ記述子１４．１０に関し、デジタル・アイテムを消費するための端末２０２における処理は以下のステップを備えている。
・デジタル・アイテムが間接的に消費されるものである場合には、デジタル・アイテムをＤＩＡパーサ１４．４に送り、
・デジタル・アイテムについてのＤＩＡの記述を解釈し、
・ユーザの端末の状態、ネットワークの状態、およびユーザの嗜好を含む情報をフィードバックするために、ユーザと前記装置２０２間の相互作用を行い、
・フィードバック情報に基づいて、ユーザへの指示を供給し、
・デジタル・アイテムの消費のためにＤＩＡツール・マネージャ１４．３によりＤＩＡツール１４．６を収集し、かつ
・デジタル・アイテムを消費するためにＤＩＡツール１４．６に送る。
【０１０８】
ＤＩＡツール・リスト１４．１に着目すると、処理は以下のステップを備えている。
・ＤＩＡツール・マネージャ１４．３によりＤＩＡツール・リストを処理し、
・欠落しているＤＩＡツール１４．２を規定された又は非公開の方法で取り出し、
・ＤＩＡツール・リストで要求されているＤＩＡツールを収集し、
・収集したＤＩＡツールをそれらの機能に応じて端末２０２にインストールし、
・ＤＩＡツール・マネージャ１４．３と、ＤＩＡパーサ１４．３により受信および処理される記述メッセージ（ＤＩＡ記述子１４．１０）に応じて、端末２０２においてＤＩＡツールを構成および初期化し、かつ
必要に応じて端末に組み込まれたＤＩＡツールを起動する。
【０１０９】
電子透かし技術が使用される場合、処理はさらに以下のステップを備える。
デジタル・アイテムがＩＰＭＰにより保護されていれば、前記デジタル・アイテムは以降の消費のために保護が解除され、
・デジタル・アイテムが暗号化されていれば、ＩＰＭＰツール・リスト２．４で示されるＩＰＭＰツール２．１７により、保護されているデジタル・アイテムを復号化し、
・電子認証で保護されていれば、ＩＰＭＰに関連する情報、メッセージ、および権利情報を認証し、
・実行が示されていれば、ツール、ユーザ、および端末を認証し、
・ＩＰＭＰパーサ２．１１により解析されたＩＰＭＰメッセージ、ＤＩＤパーサ２．１０により解析されたＤＩＤ記述子、又はＤＩＡパーサ１４．４により解析されたＤＩＡ記述子に指示があれば、以降の消費のために、デジタル・アイテムから複製制御／使用ルールのための透かしを引き出し、
・ＩＰＭＰパーサ２．１１により解析されたＩＰＭＰメッセージ、ＤＩＤパーサ２．１０により解析されたＤＩＤ記述子、又はＤＩＡパーサ１４．４により解析されたＤＩＡ記述子に指示があれば、以降の消費のために、デジタル・アイテムから認証情報のための透かしを引き出し、
・ＩＰＭＰパーサ２．１１により解析されたＩＰＭＰメッセージ、ＤＩＤパーサ２．１０により解析されたＤＩＤ記述子、又はＤＩＡパーサ１４．４により解析されたＤＩＡ記述子に指示があれば、以降の消費のために、デジタル・アイテムから一定のコンテンツＩＤ情報の透かしを引き出し、
・保護が解除されたデジタル・アイテムを表現ツールにより消費し、
・デジタル・アイテム消費後に、複製制御情報／使用ルールを更新するために透かし情報を埋め込む。
【０１１０】
（第４実施形態）
ユーザが特定のデジタル・アイテムを選択するためのＤＩＤメニューを本発明のＭＰＥＧ−２１システムに導入することができる。図１５を参照すると、ＤＩＤメニューを処理するための端末２０２における処理は以下のステップを備える。
・ＤＩＤメニューを、他の情報と共にサーバ２０１からネットワーク２００を介してカルーセル式に受信し、
・端末２０２において、ＤＩＤパーサ２．１０によりＤＩＤ２．２を解析し、ＤＩＤの各要素およびステートメントの真の意味を解釈し、
・前記ＤＩＤメニュー１５．１をユーザにより読み出し可能に構成し、
ＲＥＬ情報がデジタル・アイテムとある場合には、デジタル・アイテムに結び付けられた権利および使用ルールを認証し、
・サーバ２０１から要求したデジタル・アイテムを受け、
・デジタル・アイテムがＩＰＭＰにより保護されていれば、以降の消費のために、デジタル・アイテムの保護を解除し、
・デジタル・アイテムにリンクされたリソース２．８を特定し、
・デジタル・アイテムの消費のために、ＩＰＭＰツール（モジュール２．１７）およびＤＩＡツール（図１４のモジュール１４．６）を含む要求されたツールを収集し、
・メッセージ交換インターフェイス（図１４のモジュール２．１６およびユニット１４．５）に応じて、ツールを起動する。
【０１１１】
（第５実施形態）
ＤＩＤメニューはサーバ２０１に記憶され、端末のブラウザで閲覧されてもよい。図１６を参照すると、ＤＩＤメニューを閲覧および処理するための端末２０２における処理は以下のステップを備えている。
・サーバ２０１に記憶されたＤＩＤメニュー１６．１を、ネットワーク２００を介してＤＩＤブラウザ１６．２により、端末２０２からリモートで閲覧し、
・ＤＩＤブラウザ１６．２により、各ＤＩＤメニューを解析および解釈し、
・ＤＩＤ（図１４のユニット２．２）により記述されたデジタル・アイテムをユーザが選択し、
・ＲＥＬ情報がデジタル・アイテムと共にある場合には、デジタル・アイテムに結び付けられた権利および使用ルールを認証し、
・サーバ２０１から要求されたデジタル・アイテムを取り出し、
・デジタル・アイテムがＩＰＭＰにより保護されていれは゛、以降の消費のために、デジタル・アイテムの保護を解除し、
・デジタル・アイテムにリンクされたリソース２．８を識別し、
・デジタル・アイテムの消費のために、ＩＰＭＰツール（図１４のモジュール２．１７）およびＤＩＡツール（図１４のモジュール１４．６）を含む要求されたツールを収集し、
・メッセージ交換インターフェイス（図１４のモジュール２．１６およびモジュール１４．５）に応じて、ツールを起動する。
【０１１２】
【発明の効果】
本発明は、ＭＰＥＧ−２１ＤＩの安全な配信または送信のために利用する相互運用可能かつ安全なアーキテクチャを設計する課題を、ＭＰＥＧ−２１関連の“コンテンツ”配信および保護のためにＭＰＥＧ−２１　ＩＰＭＰシステム実装者がＩＰＭＰ準拠のシステムを構築する標準的な方法を提供することにより解決する。
【０１１３】
また、本発明は、権利情報をＭＰＥＧ−２１コンテンツと動的にかつ緊密に関連付ける課題を、ＭＰＥＧ−２１アーキテクチャに基づき重要な権利表現情報を含む権利ホルダを置くための適切な場所を設計することにより解決する。権利ホルダは、帯域外に置いても、ＩＰＭＰシステム下に置いても、またはＩＰＭＰシステムに同様して置いても、あるいはリソースの中に分散させてもよい。
【０１１４】
本発明は、ＭＰＥＧ−２／４　ＩＰＭＰシステムにおける類似の権利関連の課題を、権利ホルダをＭＰＥＧ−２／４システムにマッピングすることにより解決する。
【０１１５】
本発明がそのように記述され、本発明が多くの方法で変形しうるということは明らかであろう。かかる変形は、本発明の精神および範囲から逸脱すると考えるべきではなく、当業者にとって自明であろう全てのかかる変更は、特許請求の範囲の適用範囲内に含まれることを意図している。
【図面の簡単な説明】
【図１】本発明のＭＰＥＧ−２１　ＩＰＭＰアーキテクチャの基本概念を示す構成図である。
【図２】本発明の第１実施形態に係る保護されたＭＰＥＧ−２１ＤＩ（ＩＰＭＰ制御情報下の権利情報）を備えるＭＰＥＧ−２１　ＩＰＭＰを示す構成図である。
【図３】ＤＩＤ、ＤＩＩＤ、およびＩＰＭＰスキーム間の関係を示す図である。
【図４】帯域外に格納された権利のデータ構造を示す図である。
【図５】ＭＰＥＧ−ｎシステムのグローバルな位置に格納されている権利のデータ構造を示す図である。
【図６】ＭＰＥＧ−ｎシステムのローカルに格納されている権利のデータ構造を示す図である。
【図７】本発明の第２実施形態に係る保護されたＭＰＥＧ−２１ＤＩ（ＩＰＭＰ制御情報下の権利情報）を備えるＭＰＥＧ−２１　ＩＰＭＰを示す構成図である。
【図８】ＭＰＥＧ−４システムのＩＯＤに格納されている権利（ＩＰＭＰ制御情報下の権利情報）のデータ・フローを示す図である。
【図９】ＭＰＥＧ−４システムのＩＯＤに格納されている権利（ＩＰＭＰ制御情報と同様の権利情報）のデータ・フローを示す図である。
【図１０】ＩＰＭＰ被保護ＭＰＥＧ−２コンテンツ（ＩＰＭＰ制御情報に基づく権利情報）の概要を示す図である。
【図１１】ＩＰＭＰ被保護ＭＰＥＧ−２コンテンツ（ＩＰＭＰ制御情報と同様の権利情報）の概要を示す図である。
【図１２】権利情報がＩＰＭＰ情報内に格納されている場合のＭＰＥＧ−２１ＤＩの消費を示すフローチャートである。
【図１３】ＩＰＭＰ情報にアクセスする前に権利情報が格納される場合のＭＰＥＧ−２１ＤＩの消費を示すフローチャートである。
【図１４】本発明の第３実施形態に係る保護されたＭＰＥＧ−２１ＤＩ（ＩＰＭＰ制御情報下の権利情報）を備えるＭＰＥＧ−２１　ＩＰＭＰを示す構成図である。
【図１５】サーバから端末へ送られるＤＩＤメニューを説明するための概略構成図である。
【図１６】サーバに記憶されて端末から閲覧されるＤＩＤメニューを説明するための概略構成図である。
【符号の説明】
２．１　デジタル・アイテム
２．２　デジタル・アイテム・デクラレーション
２．３　ＩＰＭＰ制御情報記述子
２．４　代替のＩＰＭＰツールＩＤ
２．５　ＩＰＭＰツール・ホルダ
２．６　権利ツールＩＤ
２．７　ＩＰＭＰ記述子
２．８　リソース
２．９　ＭＰＥＧ−２１　デ・マックス
２．１０　ＤＩＤパーサ
２．１１　ＩＰＭＰパーサ
２．１２　ＲＥＬパーサ
２．１３　コンテンツ表現ツール
２．１７　ＩＰＭＰツール
２．１９　ＩＰＭＰツール・マネージャ
【図１】
2004129197.tif 000003
【図２】
2004129197.tif 000004
【図３】
2004129197.tif 000005
【図４】
2004129197.tif 000006
【図５】
2004129197.tif 000007
【図６】
2004129197.tif 000008
【図７】
2004129197.tif 000009
【図８】
2004129197.tif 000010
【図９】
2004129197.tif 000011
【図１０】
2004129197.tif 000012
【図１１】
2004129197.tif 000013
【図１２】
2004129197.tif 000014
【図１３】
2004129197.tif 000015
【図１４】
2004129197.tif 000016
【図１５】
2004129197.tif 000017
【図１６】
2004129197.tif 000018
【外国語明細書】
2004129197.tif 000019
2004129197.tif 000020
2004129197.tif 000021
2004129197.tif 000022
2004129197.tif 000023
2004129197.tif 000024
2004129197.tif 000025
2004129197.tif 000026
2004129197.tif 000027
2004129197.tif 000028
2004129197.tif 000029
2004129197.tif 000030
2004129197.tif 000031
2004129197.tif 000032
2004129197.tif 000033
2004129197.tif 000034
2004129197.tif 000035
2004129197.tif 000036
2004129197.tif 000037
2004129197.tif 000038
2004129197.tif 000039
2004129197.tif 000040
2004129197.tif 000041
2004129197.tif 000042
2004129197.tif 000043
2004129197.tif 000044
2004129197.tif 000045
2004129197.tif 000046
2004129197.tif 000047
2004129197.tif 000048
2004129197.tif 000049
2004129197.tif 000050
2004129197.tif 000051
2004129197.tif 000052
2004129197.tif 000053
2004129197.tif 000054
2004129197.tif 000055
2004129197.tif 000056
2004129197.tif 000057
2004129197.tif 000058
2004129197.tif 000059
2004129197.tif 000060
2004129197.tif 000061
2004129197.tif 000062
2004129197.tif 000063
2004129197.tif 000064
2004129197.tif 000065
2004129197.tif 000066
2004129197.tif 000067
2004129197.tif 000068
2004129197.tif 000069
2004129197.tif 000070
2004129197.tif 000071
2004129197.tif 000072